(57)【要約】【課題】保護チューブに特殊加工を施すことなく、光ファイバコード切り裂き部を保護することのできる光コネクタを提供する。【解決手段】光コネクタ１は、短尺光ファイバ１８がフェルール１１に予め装着され端面研磨処理された光ファイバ付きフェルール１０を含む光コネクタにおいて、光コネクタ組立時に切り裂く光ファイバコード３０外被部の外側に保護チューブ２２を被せることにより、光ファイバコード３０切り裂き部を保護する。【選択図】図１
2009271427.tif 000002
【特許請求の範囲】
【請求項１】
短尺光ファイバがフェルールに予め装着され端面研磨処理された光ファイバ付きフェルールを含む光コネクタにおいて、
光コネクタ組立時に切り裂く光ファイバコード外被部の外側に保護チューブを被せることにより、光ファイバコード切り裂き部を保護することを特徴とする光コネクタ。
【請求項２】
前記光コネクタは、前記保護チューブをカシメリングにてストップリングにカシメ固定することを特徴とする請求項１記載の光コネクタ。
【請求項３】
前記光コネクタは、前記保護チューブを前記カシメリングにて光ファイバコード外被と共に前記ストップリングにカシメ固定することを特徴とする請求項２記載の光コネクタ。
【請求項４】
前記光コネクタは、前記保護チューブを前記カシメリングにて固定したとき、ブーツ内径部に光ファイバコードと同様に挿通されていることを特徴とする請求項２または請求項３記載の光コネクタ。
【請求項５】
前記保護チューブはシリコン、ポリ塩化ビニル（ＰＶＣ）等可撓性のある材料を使用していることを特徴とする請求項１〜４のいずれか１項記載の光コネクタ。
【請求項６】
前記光ファイバ付きフェルールは、キャピラリと当該キャピラリの後端部を保持するフランジ部とを備えた前記フェルールに、先端に被覆を除去した裸光ファイバ部分を有する前記短尺光ファイバが装着されたものであり、
前記キャピラリに、前記短尺光ファイバの前記裸光ファイバ部分を収容する微細孔と、当該裸光ファイバ部分に連なる被覆光ファイバの一部を収容する被覆部収納孔とが、先端から後端に向けて順に、かつ、前記微細孔の長さが前記被覆部収納孔の長さに比べて短く形成されたことを特徴とする請求項１〜５のいずれか１項記載の光コネクタ。
【発明の詳細な説明】
【技術分野】
【０００１】
本発明は、現地において光ファイバコードの先端に光コネクタを融着接続することにより取り付ける光コネクタに関する。
【背景技術】
【０００２】
近年、光ファイバによるアクセス網構築や構内光配線等を構築するため、従来から使用されているφ３ｍｍの単心光ファイバよりも太い光ファイバの先端に光コネクタを取付けることが要求されている。
【０００３】
一般に、φ３ｍｍ以下の光ファイバコードでは、光コネクタ組立の使用時まで、ストップリング、バネ等の部品を、光ファイバ外被外側を通し、光ファイバコード上に逃がしておくことができる。
【０００４】
これに対し、φ３ｍｍより太い光ファイバコードの場合は、ストップリング、バネ等の部品を光ファイバコード外被上に逃がすことができないため、光ファイバコード外被を切り裂き、心線を剥き出しにした後、心線上に前記２部品を保持する必要がある。
【０００５】
また、光ファイバ融着接続機は、光コネクタを組立てるために接続を行うということは考慮されていないため、融着接続を行う風防内に光コネクタの部品を入れ固定することが難しい構造となっている。
【０００６】
このため、ストップリング、バネが融着接続機の風防の外に出るまで、光ファイバコードを切り裂かなければならない。
【０００７】
そのため、このような光コネクタの光ファイバコード切り裂き部を保護することが必要となる。
【特許文献１】特開２００２−８２２５７号公報
【発明の開示】
【発明が解決しようとする課題】
【０００８】
しかしながら、従来の光コネクタは、光ファイバコード切り裂き長が短く、光コネクタ内に切り裂き部が収まるため、光ファイバコードの切り裂き部の保護を特に必要としていなかった。
【０００９】
また、切り裂き部の保護が必要な場合は、保護チューブの一端を鍔状に広げるという特殊加工を行い、ブーツ内径部に引っ掛けて固定するといった方法をとっており、保護チューブが高価なものになってしまっていた。
【００１０】
本発明は、上記課題を解決するために為されたものであり、保護チューブに特殊加工を施すことなく、光ファイバコード切り裂き部を保護することのできる光コネクタを提供するものである。
【課題を解決するための手段】
【００１１】
本発明の請求項１に係る光コネクタは、短尺光ファイバがフェルールに予め装着され端面研磨処理された光ファイバ付きフェルールを含む光コネクタにおいて、光コネクタ組立時に切り裂く光ファイバコード外被部の外側に保護チューブを被せることにより、光ファイバコード切り裂き部を保護することを特徴とする。
【００１２】
本発明の請求項２に係る光コネクタは、請求項１記載の光コネクタにおいて、前記光コネクタは、前記保護チューブをカシメリングにてストップリングにカシメ固定することを特徴とする。
【００１３】
本発明の請求項３に係る光コネクタは、請求項２記載の光コネクタにおいて、前記光コネクタは、前記保護チューブを前記カシメリングにて光ファイバコード外被と共に前記ストップリングにカシメ固定することを特徴とする。
【００１４】
本発明の請求項４に係る光コネクタは、請求項２または請求項３記載の光コネクタにおいて、前記光コネクタは、前記保護チューブを前記カシメリングにて固定したとき、ブーツ内径部に光ファイバコードと同様に挿通されていることを特徴とする。
【００１５】
本発明の請求項５に係る光コネクタは、請求項１〜４のいずれか１項記載の光コネクタにおいて、前記保護チューブはシリコン、ポリ塩化ビニル（ＰＶＣ）等可撓性のある材料を使用していることを特徴とする。
【００１６】
本発明の請求項６に係る光コネクタキットは、請求項１〜５のいずれか１項記載の光コネクタにおいて、前記光ファイバ付きフェルールは、キャピラリと当該キャピラリの後端部を保持するフランジ部とを備えた前記フェルールに、先端に被覆を除去した裸光ファイバ部分を有する前記短尺光ファイバが装着されたものであり、前記キャピラリに、前記短尺光ファイバの前記裸光ファイバ部分を収容する微細孔と、当該裸光ファイバ部分に連なる被覆光ファイバの一部を収容する被覆部収納孔とが、先端から後端に向けて順に、かつ、前記微細孔の長さが前記被覆部収納孔の長さに比べて短く形成されたことを特徴とする。
【発明の効果】
【００１７】
本発明は以上のように、短尺光ファイバがフェルールに予め装着され端面研磨処理された光ファイバ付きフェルールを含む光コネクタにおいて、光コネクタ組立時に切り裂く光ファイバコード外被部の外側に保護チューブを被せることにより、光ファイバコード切り裂き部を保護するように構成したので、光コネクタの組立時に発生する光ファイバコード外被切り裂き部を、簡単かつ安価に保護することができる。
【発明を実施するための最良の形態】
【００１８】
本発明の実施の形態を、図面を参照して説明する。
【００１９】
図１は、本発明による光コネクタの一実施形態を示す断面図であり、この光コネクタ１を構成するコネクタ部品には、光ファイバ付きフェルール１０が含まれる。
【００２０】
図２に示すように、光ファイバ付きフェルール１０は、キャピラリ１２と、キャピラリ１２の後端部を保持するフランジ部１５とを備えたフェルール１１に、先端に被覆を除去した裸光ファイバ部分１８ａを有する短尺光ファイバ１８が装着され、端面研磨処理されたものである。
【００２１】
キャピラリ１２には、短尺光ファイバ１８の裸光ファイバ部分１８ａを収容する微細孔１３と、裸光ファイバ部分１８ａに連なる被覆光ファイバ１８ｂ（図３参照）の一部を収容する被覆部収納孔１４とが、先端から後端に向けて順に形成され、しかも、微細孔１３の長さが、被覆部収納孔１４の長さに比べて短く形成されている。
【００２２】
フランジ部１５には、被覆光ファイバ１８ｂの被覆部収納孔１４に収納される部分に続く微小長さを通す被覆部通孔１６が形成されている。
【００２３】
短尺光ファイバ１８は、裸光ファイバ部分１８ａがキャピラリ１２の微細孔１３に収納固着され、かつ、裸光ファイバ部分１８ａに続く被覆光ファイバ１８ｂの一部がキャピラリ１２の被覆部収納孔１４に収納固着されたとき、フランジ部１５の被覆部通孔１６から後方へ所要の接続余長１８ｃだけ延出している。
【００２４】
フランジ部１５から後方へ延出する接続余長１８ｃの長さは、この接続余長１８ｃの後端と、この後端が光接続される光ファイバコード３０（図１参照）の先端とを光接続する図示しない融着接続機器が要求する長さを少なくとも有する。
【００２５】
そして、短尺光ファイバ１８の接続余長１８ｃは、被覆光ファイバ１８ｂのままにしておいてもよいが、図３に示すように、後端部分の被覆を除去した状態にしておくことも可能である。
【００２６】
短尺光ファイバ１８が常温常湿下に長期保管される場合の強度劣化対策として、また、静疲労特性の改善を目的として、短尺光ファイバ１８の外周には、金属またはカーボンのコーティング、すなわち、メタルコートやカーボンコートなどのハーメチックコーティングが施されることが望ましい。
【００２７】
このような光ファイバ付きフェルール１０の他、光コネクタ１を構成するコネクタ部品には、図１に示すように、ブーツ２１、保護チューブ２２、カシメリング２３、ストップリング２４、スプリング２５、補強スリーブ２６、プラグフレーム２７およびホルダ２８が含まれる。
【００２８】
このうち、ブーツ２１、保護チューブ２２、カシメリング２３、ストップリング２４、スプリング２５および補強スリーブ２６は、短尺光ファイバ１８の後端と、光ファイバコード３０の先端とを融着接続する前に、光ファイバコード３０に予め挿通しておくことが必要である。
【００２９】
補強スリーブ２６は、短尺光ファイバ１８の後端と光ファイバコード３０の先端とを融着接続したとき、その融着接続部を補強するものである。そのため、補強スリーブ２６は、金属等の補強部材および熱可塑性樹脂を内包した熱収縮性チューブで構成される。
【００３０】
次に、上記の光コネクタ１を組み立てる光コネクタの組立方法について説明する。
【００３１】
まず、ブーツ２１の後端から光ファイバコード３０を差し込み、保護チューブ２２を挿入し、カシメリング２３の後端から光ファイバコード３０を差し込む。つぎに、光ファイバコード３０の外被除去、ケブラカットを行い、光ファイバコード３０外被を切り裂く。その後、ストップリング２４、スプリング２５、補強スリーブ２６を光ファイバコード３０の心線部に挿入する。
【００３２】
つぎに、光ファイバ付きフェルール１０の短尺光ファイバ１８後端と、光ファイバコード３０先端とを融着接続する。
【００３３】
この融着接続は、まず、短尺光ファイバ１８の接続余長１８ｃの後端所要長部分の被覆と、光ファイバコード３０の先端所要長部分の被覆とを除去し、つぎに、短尺光ファイバ１８の後端と光ファイバコード３０の先端とを相互に対向配置させ、コアまたはクラッドの位置を基準として調心した後に行う。
【００３４】
この場合、短尺光ファイバ１８の接続余長１８ｃの後端部分の被覆を予め除去してあれば、その被覆除去の手間が省けるだけ、作業時間の短縮が図れる。そして、融着接続部に、金属等の補強部材および熱可塑性樹脂を内包した熱収縮性チューブで構成される補強スリーブ２６を取り付けて補強する。
【００３５】
その後、プラグフレーム２７と、光ファイバコード３０に挿通されているスプリング２５およびストップリング２４を組み立てる。つぎに、光ファイバコード３０のケブラ（図示省略）をカシメリング２３にてストップリング２４にカシメ固定する。つぎに、光ファイバコード３０の外被（図示省略）と保護チューブ２２をカシメリング２３後部に挿入し、カシメ固定する。最後に、ブーツ２１およびホルダ３３を、所定の組立順序にしたがって組み立てる。これにより、図１に示すように光コネクタ１が得られる。
【００３６】
以上、本発明の光コネクタについて、それを用いた光コネクタ組立方法とともに具体的に説明したが、本発明は上記の実施形態に限定されるものではなく、種々の設計変更が可能である。例えば、上記の実施形態ではＳＣ型コネクタ部品を例にして説明したが、本発明はＭＵ型、ＦＣ型、ＳＴ型等にも適用可能である。
【図面の簡単な説明】
【００３７】
【図１】本発明による光コネクタの一実施形態を示す断面図である。
【図２】本発明による光コネクタに用いる光ファイバ付きフェルールの一実施形態を示す断面図である。
【図３】図２の光ファイバ付きフェルールに用いる短尺光ファイバの各部の長さを示す断面図である。
【符号の説明】
【００３８】
１  光コネクタ
１０  光ファイバ付きフェルール
１１  フェルール
１２  キャピラリ
１３  微細孔
１４  被覆部収納孔
１５  フランジ部
１６  被覆部通孔
１８  短尺光ファイバ
１８ａ  裸光ファイバ部分
１８ｂ  被覆光ファイバ
１８ｃ  接続余長（延出した光ファイバ部分）
２１  ブーツ
２２  保護チューブ
２３  カシメリング
２４  ストップリング
２５  スプリング
２６  補強スリーブ
２７  プラグフレーム
２８  ホルダ
３０  光ファイバコード
【図１】
2009271427.tif 000003
【図２】
2009271427.tif 000004
【図３】
2009271427.tif 000005